(57)【要約】  本発明は、別部品を必要とせずに簡易な方法で端子板と平角線の電気的接続状態の信頼性を高めた端子板回路を提供する。本発明は、端子板及び平角線を含む端子板回路であって、端子板の一部の材料を一方の側から他方の側に端子板から完全に分離せずに押しやることによって形成された切欠部が端子板に存在し、前記平角線が、端子板の上側に密着して延びてから、次いで前記切欠部の下側を通り、再び端子板の上側に出るようになっていること、及び前記平角線の面が前記切欠部の縁と前記切欠部の周囲に存在する端子板の縁との間に挟持されていることを特徴とする。
2011125124.tif 000002
【特許請求の範囲】
【請求項１】
端子板及び平角線を含む端子板回路であって、端子板の一部の材料を一方の側から他方の側に端子板から完全に分離せずに押しやることによって形成された切欠部が端子板に存在し、前記平角線が、端子板の上側に密着して延びてから、次いで前記切欠部の下側を通り、再び端子板の上側に出るようになっていること、及び前記平角線の面が前記切欠部の縁と前記切欠部の周囲に存在する端子板の縁との間に挟持されていることを特徴とする端子板回路。
【請求項２】
平角線が切欠部の下側を通る前に密着する端子板の部分が周囲の端子板の部分より落ち込んだ形状を有することを特徴とする請求項１に記載の端子板回路。
【請求項３】
平角線が再び端子板の上側に出た後に平角線が折り曲げられて切欠部の上側に密着して載っていることを特徴とする請求項１又は２に記載の端子板回路。
【請求項４】
平角線と端子板が接触している部分及び／又はその周囲に半田付け又は溶接が施されていることを特徴とする請求項１〜３のいずれかに記載の端子板回路。
【請求項５】
太陽電池パネル用端子箱内で使用されることを特徴とする請求項１〜４のいずれかに記載の端子板回路。
【発明の詳細な説明】
【技術分野】
【０００１】
本発明は、太陽電池パネル用端子箱内のような過酷な環境下でも端子板と平角線の電気的接続状態を確実に保持することができる端子板回路に関する。
【背景技術】
【０００２】
従来、端子板回路において端子板に平角線を電気的に接続するためには、端子板に平角線が貫通する開口部を設け、この開口部に平角線を上又は下から挿入した後、端子板と平角線を電気的に接触させ、接触した部分を半田付け又は溶接することによって行なわれてきた。【０００３】
しかしながら、端子板回路が太陽電池パネル用端子箱内で使用される場合は、その過酷な環境下で極めて長い間、端子板と平角線の電気的接続状態を保持する必要があるため、上記の従来技術の半田付け又は溶接のみによる接続方法では信頼性が十分ではなかった。【０００４】
一方、端子板と平角線の電気的接続状態の信頼性を高める方法としては、端子板への平角線のネジによる固定後に固定部分を半田付けしたり溶接することが行われている。しかし、ネジによる固定は、ネジ穴の設置やネジの取付作業を伴うため、工程が複雑となり好ましくない。【０００５】
これに対して、出願人は、端子板の端部を挟持できる押付け部材によって平角線を端子板に押付け、端子板と平角線の電気的接続状態の信頼性を高めた端子板回路を既に提案した（特許文献１参照）。【０００６】
特許文献１の端子板回路は、端子板と平角線の接続部分の信頼性を極めて高くすることができるが、押付け部材を別途必要とし、工程管理の上でさらに改良する余地があった。
【先行技術文献】
【特許文献】
【０００７】
【特許文献１】ＷＯ２００９／０８１５０８
【発明の概要】
【発明が解決しようとする課題】
【０００８】
本発明は、かかる従来技術の現状に鑑み創案されたものであり、その目的は、別部品を必要とせずに簡易な方法で端子板と平角線の電気的接続状態の信頼性を高めた端子板回路を提供することにある。
【課題を解決するための手段】
【０００９】
本発明者は、上記目的を達成するために鋭意検討した結果、端子板の一部の材料を一方の側から他方の側へ押しやって形成した切欠部を設け、この切欠部の下側に平角線を通して平角線の面を切欠部の縁と端子板の縁の間で挟持することにより、別部品を使わずに簡易な方法で端子板と平角線の電気的接続状態の信頼性を簡単に高めることができることを見出し、本発明の完成に至った。【００１０】
即ち、本発明は、端子板及び平角線を含む端子板回路であって、端子板の一部の材料を一方の側から他方の側に端子板から完全に分離せずに押しやることによって形成された切欠部が端子板に存在し、前記平角線が、端子板の上側に密着して延びてから、次いで前記切欠部の下側を通り、再び端子板の上側に出るようになっていること、及び前記平角線の面が前記切欠部の縁と前記切欠部の周囲に存在する端子板の縁との間に挟持されていることを特徴とする端子板回路である。【００１１】
本発明の端子板回路の好ましい態様では、平角線が切欠部の下側を通る前に密着する端子板の部分が周囲の端子板の部分より落ち込んだ形状を有する。【００１２】
本発明の端子板回路の好ましい態様では、平角線が再び端子板の上側に出た後に平角線が折り曲げられて切欠部の上側に密着して載っている。【００１３】
本発明の端子板回路の好ましい態様では、平角線と端子板が接触している部分及び／又はその周囲に半田付け又は溶接が施されている。【００１４】
本発明の端子板回路の好ましい態様では、端子板回路が太陽電池パネル用端子箱内で使用される。
【発明の効果】
【００１５】
本発明の端子板回路は、端子板の一部の材料を一方の側から他方の側へ押しやって形成された切欠部を有し、その下側に平角線を通して平角線の面を切欠部の縁とその周囲の端子板の縁の間に挟持するようにしているので、別部品を使用せずに簡単な構成で端子板と平角線の電気的接続状態の信頼性を高めることができる。従って、本発明の端子板回路は、屋外の過酷な環境下で使用される太陽電池パネル用端子箱のために好適である。
【図面の簡単な説明】
【００１６】
【図１】本発明の端子板回路の第一実施態様の概略的斜視図である。
【図２】本発明の端子板回路の第一実施態様の概略的断面図である。
【図３】本発明の端子板回路の第二実施態様の概略的斜視図である。
【図４】本発明の端子板回路の第二実施態様の概略的断面図である。
【図５】本発明の端子板回路の第三実施態様の概略的斜視図である。
【図６】本発明の端子板回路の第三実施態様の概略的断面図である。
【発明を実施するための形態】
【００１７】
本発明の端子板回路の実施態様を以下図面を参照して説明するが、本発明はこれらに限定されるものではない。
【００１８】
（第一実施態様）
図１は、本発明の端子板回路の第一実施態様の概略的斜視図を示し、図２は、その概略的断面図を示す。図１，２から明らかなように、端子板回路１は、端子板２及び平角線３を含み、端子板２には、端子板の一部の材料を下側から上側に押しやることによって形成された切欠部４が存在している。切欠部４は、端子板２から完全に分離されておらず、その下側に平角線３を通すことができるようになっている。
【００１９】
平角線３は、例えば太陽電池パネルからの発電した電流を送るために端子板２付近まで導かれ、図１，２に示すように、端子板２の上側に密着して延びながら、次いで切欠部４の下側を通り、再び端子板２の上側に出るように構成されている。このとき、平角線３の面（具体的には切欠部４の下側に入ろうとしている平角線３の部分の面と切欠部４の下側から端子板の上側に出ようとしている平角線の部分の面）が、切欠部４の縁と切欠部４の周囲に存在する端子板２の縁との間に挟持されている。この挟持状態は、端子板２から切欠部４を少し持ち上げて平角線３を端子板２の上側から切欠部４の下側に通してから端子板２の上側に出るように延ばし、次いで切欠部４を下げて端子板２の元の位置の方に押付けることによって達成されることができる。この挟持構造は、挟持部分が少なくとも２箇所存在するので、端子板２と平角線３の電気的接続状態が従来のものより格段に向上する。
【００２０】
切欠部４は、平角線３を端子板２の上側から切欠部４の下側を経て端子板２の上側へ延ばすことができるような形状と大きさを有していることが必要であるが、端子板２から完全に分離されない限り、現実的な範囲でいかなる形状と大きさも採用することができ、一部が切除されたり、複数の部分に分かれて構成されていてもよい。ここで重要なことは、端子板２から完全に分離しない切欠部４が平角線３の面を押付けて平角線３を切欠部４の縁とその周囲の端子板２の縁の間に挟持されるように端子板２（又は切欠部４）と平角線３の確実な電気的接続状態を確立することである。
【００２１】
本発明の端子板回路１に使用される平角線３は従来公知のものから適宜選択すればよく、端子板２は太陽電池パネル用端子板箱内で使用される場合、そこに搭載されるダイオードの冷却機能を高めるために、図１，２に示すように拡大されていることが好ましい。平角線３が切欠部４の下側を通る前に密着する端子板２の部分は、図１，２に示すように、周囲の端子板２の部分より落ち込んだ形状を有することが好ましい。切欠部４の下側を平角線３が通りやすくするとともに挟持状態を確実にするためである。端子板回路１に使用される他の構成部品については、ここでは詳述しないが、従来公知のものを適宜採用することができる。
【００２２】
本発明の端子板回路１は、上述のような端子板２の切欠部４とその周囲の部分との間の平角線３の挟持に加えて、端子板２と平角線３が電気的に接触している部分及び／又はその周囲を半田付け又は溶接することによって、さらに強固な端子板２と平角線３の電気的接続状態を作ることができる。
【００２３】
（第二実施態様）
図３は、本発明の端子板回路の第二実施態様の概略的斜視図を示し、図４は、その概略的断面図を示す。上記の第一実施態様では、端子板２の切欠部４は、一辺が端子板２につながった長方形の形状を有していたが、この第二実施態様では、端子板２の切欠部４は、カタカナの「コ」の字形状を有し、「コ」の字の両端が端子板２につながり、「コ」の字の中に平角線３が入るようになっている点が大きく異なる。この第二実施態様の構造の場合、切欠部４が平角線３の面を端子板２の縁に均等に押付けやすい利点がある。その他の構成については、第一実施態様と第二実施態様の間に実質的な差はなく、基本的に同じである。
【００２４】
（第三実施態様）
図５は、本発明の端子板回路の第三実施態様の概略的斜視図を示し、図６は、その概略的断面図を示す。上記の第一実施態様とこの第三実施態様の主な違いは、端子板２の切欠部４の形状と平角線３の切欠部４付近の経路にある。具体的には、この第三実施態様では、長方形形状の切欠部４が端子板２の面より少し高い位置に存在し、平角線３が切欠部４の下側を通って端子板２の上側に出た後に平角線３が折り曲げられて切欠部４の上側に密着して載っている点が第一実施態様とは大きく異なる。この第三実施態様の構成の場合、平角線３が引っ張られても抜けにくい利点がある。その他の構成については、第一実施態様と第三実施態様の間に実質的な差はなく、基本的に同じである。
【産業上の利用可能性】
【００２５】
本発明の端子板回路は、別部品を使用しなくても簡単な方法で端子板と平角線の電気的接続状態の信頼性を高めることができるので、過酷な環境下にさらされる太陽電池パネル用端子箱のために好適に使用することができる。
【符号の説明】
【００２６】
１  端子板回路
２  端子板
３  平角線
４  切欠部
【図１】
2011125124.tif 000003
【図２】
2011125124.tif 000004
【図３】
2011125124.tif 000005
【図４】
2011125124.tif 000006
【図５】
2011125124.tif 000007
【図６】
2011125124.tif 000008
【国際調査報告】
2011125124.tif 000009
2011125124.tif 000010
2011125124.tif 000011
2011125124.tif 000012